(57)【要約】【課題】ｅＤＲＸにおいて、ページングに用いられる無線フレームの算出を適切に行うことを可能にすること。【解決手段】交換機と基地局とユーザ装置とを有し、拡張間欠受信におけるページングモニタ期間の算出に用いるＵＥ識別子として第一のＵＥ識別子及び第二のＵＥ識別子を用いる無線通信システムにおける基地局であって、前記交換機から、特定の信号を受け付ける受付部と、前記特定の信号を受けた場合に、拡張間欠受信におけるページングモニタ期間の算出に用いるＵＥ識別子を第二のＵＥ識別子にすべきとの指示情報を含む報知情報を送信する送信部と、を有する基地局を提供する。【選択図】図３
2017220919.tif 000002
【特許請求の範囲】
【請求項１】
交換機と基地局とユーザ装置とを有し、拡張間欠受信におけるページングモニタ期間の算出に用いるＵＥ識別子として第一のＵＥ識別子及び第二のＵＥ識別子を用いる無線通信システムにおける基地局であって、
前記交換機から、特定の信号を受け付ける受付部と、
前記特定の信号を受けた場合に、拡張間欠受信におけるページングモニタ期間の算出に用いるＵＥ識別子を第二のＵＥ識別子にすべきとの指示情報を含む報知情報を送信する送信部と、
を有する基地局。
【請求項２】
前記送信部は、前記特定の信号を受けた場合に、システム情報変更通知を含むページングを拡張間欠受信サイクルの最大期間の間送信した後で前記報知情報を送信する、
請求項１に記載の基地局。
【請求項３】
前記送信部は、前記報知情報を拡張間欠受信サイクルの最大期間の間送信する、
請求項２に記載の基地局。
【請求項４】
交換機と基地局とユーザ装置とを有し、拡張間欠受信におけるページングモニタ期間の算出に用いるＵＥ識別子として第一のＵＥ識別子及び第二のＵＥ識別子を用いる無線通信システムにおけるユーザ装置であって、
第一のＵＥ識別子及び第二のＵＥ識別子を用いて拡張間欠受信におけるページングモニタ期間を算出する算出部と、
算出された拡張間欠受信におけるページングモニタ期間でページングをモニタする受信部と、
を有し、
前記算出部は、第一のＵＥ識別子を前記交換機から受信していない場合、又は、拡張間欠受信におけるページングモニタ期間の算出に用いるＵＥ識別子を第二のＵＥ識別子にすべきとの指示情報を含む報知情報を受信した場合に、第二のＵＥ識別子を用いて拡張間欠受信におけるページングモニタ期間を算出する、
ユーザ装置。
【請求項５】
交換機と基地局とユーザ装置とを有し、拡張間欠受信におけるページングモニタ期間の算出に用いるＵＥ識別子として第一のＵＥ識別子及び第二のＵＥ識別子を用いる無線通信システムにおける基地局が実行する通信方法であって、
前記交換機から、特定の信号を受け付けるステップと、
前記特定の信号を受けた場合に、拡張間欠受信におけるページングモニタ期間の算出に用いるＵＥ識別子を第二のＵＥ識別子にすべきとの指示情報を含む報知情報を送信するステップと、
を有する通信方法。
【請求項６】
拡張間欠受信をサポートする無線通信システムにおける通信装置であって、
ＵＥ識別子を取得する取得部と、
拡張間欠受信におけるページングモニタ期間を算出する算出部と、
を有し、
前記算出部は、ページングモニタ期間を算出する際に、ＩＭＳＩを含むビットをハッシュ関数に代入することで得られるビットを用いて、又は、ＩＭＳＩの下位０〜９ビット以外のビットを用いてページングモニタ期間を算出する、
通信装置。
【発明の詳細な説明】
【技術分野】
【０００１】
本発明は、基地局、ユーザ装置、通信方法及び通信装置に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇなどともいう）も検討されている。
【０００３】
ところで、近年、通信装置の低コスト化に伴い、ネットワークに繋がれた装置が、人間の手を介さずに相互に通信して自動的に制御を行う機器間通信（Ｍ２Ｍ：Machine-to-Machine）の技術開発が盛んに行われている。特に、３ＧＰＰ（Third  Generation  Partnership  Project）は、Ｍ２Ｍの中でも機器間通信用のセルラシステムとして、ＭＴＣ（Machine  Type  Communication）の最適化に関する標準化を進めている。標準化の中で、ＭＴＣ向けの端末（ＩｏＴ（Internet of Things）向けの端末とも呼ばれる）が備えるべき各種機能も検討されており、一例として、コスト削減を図るために送受信帯域幅を限定したＭＴＣ端末が検討されている。他の例として、ＭＴＣ端末は建物の奥深い場所及び地下などの建物侵入損が大きく、無線通信が困難な場所に配置される可能性があるため、カバレッジ拡張を目的としたＭＴＣ端末も検討されている。
【０００４】
ＭＴＣ端末（ＭＴＣ  ＵＥ（User  Equipment））は、例えば電気メータ、ガスメータ、自動販売機、車両、その他産業機器などの幅広い分野への利用が考えられている。
【先行技術文献】
【非特許文献】
【０００５】
【非特許文献１】3GPP  TS  36.300  "Evolved  Universal  Terrestrial  Radio  Access  (E-UTRA)  and  Evolved  Universal  Terrestrial  Radio  Access  Network  (E-UTRAN);  Overall  description;  Stage  2"
【非特許文献２】3GPP  TS  23.401  "General Packet Radio Service (GPRS) enhancements for Evolved Universal Terrestrial Radio Access Network (E-UTRAN) access"
【非特許文献３】３ＧＰＰ  ＴＳ３６．３０４  Ｖ１３．１．０（２０１６−０３）
【発明の概要】
【発明が解決しようとする課題】
【０００６】
従来の３ＧＰＰの規定によれば、ユーザ装置は、ＤＲＸ（Discontinuous Reception）で指定される周期内の所定の期間（On duration）に限りページング信号をモニタし、それ以外の時間は休止状態になることで消費電力を抑制する。なお、ＤＲＸの周期は、最大で２．５６秒（２５６０サブフレーム）である。
【０００７】
３ＧＰＰのＲｅｌ−１２及びＲｅｌ−１３では、ＭＴＣ端末の更なる省電力化を目的として、ｅＤＲＸ（extended idle-mode Discontinuous Reception）と呼ばれる技術が導入された。ｅＤＲＸでは、ユーザ装置がページング信号をモニタする周期を、最大で２６２１．４４秒（４３．６９分）に延長することができる。ｅＤＲＸにおいて、ユーザ装置がページングをモニタする期間は、ＩＭＳＩ（International Mobile Subscriber Identity）を複数の計算式に代入することで算出される。
【０００８】
ここで、３ＧＰＰでは、ｅＤＲＸにおいて、ページングに用いられる無線フレームを分散させることを目的として、ページングをモニタする期間の算出を行う際に用いる複数の計算式の一部において、ＩＭＳＩに代えてＳ−ＴＭＳＩ（SAE Temporary Mobile Station Identifier）を用いることが提案されている。
【０００９】
しかしながら、Ｓ−ＴＭＳＩは、ＳＩＭ（Subscriber Identity Module）及びＨＳＳ（Home Subscriber server）に格納されているＩＭＳＩと異なり、ユーザ装置がネットワークにアタッチしたタイミング等でＭＭＥ（Mobility Management Entity）から払い出されるＩＤである。従って、例えば、ユーザ装置がネットワークにアタッチする前は、そもそもＭＭＥ及びユーザ装置はＳ−ＴＭＳＩを保持していないという問題がある。また、Ｓ−ＴＭＳＩがユーザ装置に払い出された後でも、ＭＭＥの再開（Restart）等によりＭＭＥ内に記憶されているＳ−ＴＭＳＩが消失した場合、ｅＤＲＸにおいてユーザ装置がページングをモニタする期間の認識が、ＭＭＥとユーザ装置との間で不一致になる可能性があるという問題がある。
【００１０】
開示の技術は上記に鑑みてなされたものであって、ｅＤＲＸにおいて、ページングに用いられる無線フレームの算出を適切に行うことを可能にする技術を提供することを目的とする。
【課題を解決するための手段】
【００１１】
開示の技術の基地局は、交換機と基地局とユーザ装置とを有し、拡張間欠受信におけるページングモニタ期間の算出に用いるＵＥ識別子として第一のＵＥ識別子及び第二のＵＥ識別子を用いる無線通信システムにおける基地局であって、前記交換機から、特定の信号を受け付ける受付部と、前記特定の信号を受けた場合に、拡張間欠受信におけるページングモニタ期間の算出に用いるＵＥ識別子を第二のＵＥ識別子にすべきとの指示情報を含む報知情報を送信する送信部と、を有する。
【発明の効果】
【００１２】
開示の技術によれば、ｅＤＲＸにおいて、ページングに用いられる無線フレームの算出を適切に行うことを可能にする技術が提供される。
【図面の簡単な説明】
【００１３】
【図１】実施の形態に係る無線通信システムの構成例を示す図である。
【図２】ｅＤＲＸ動作を説明するための図である。
【図３】実施の形態に係る無線通信システムが行う処理手順の一例を説明するための図である。
【図４】ＩＭＳＩを用いたページングモニタ期間の算出方法を説明するための図である。
【図５】実施の形態に係るＭＭＥの機能構成例を示す図である。
【図６】実施の形態に係る基地局の機能構成例を示す図である。
【図７】実施の形態に係るユーザ装置の機能構成例を示す図である。
【図８】実施の形態に係るＭＭＥ、基地局及びユーザ装置のハードウェア構成例を示す図である。
【発明を実施するための形態】
【００１４】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１５】
＜システム構成＞
図１は、実施の形態に係る無線通信システムの構成例を示す図である。図１に示すように、本無線通信システムは、ＭＭＥ１０、基地局ｅＮＢ及びユーザ装置ＵＥを含む。図１にはＭＭＥ１０、基地局ｅＮＢ及びユーザ装置ＵＥがそれぞれ１つずつ図示されているが、複数であってもよい。
【００１６】
＜ｅＤＲＸの動作＞
ここで、３ＧＰＰで規定されているｅＤＲＸの動作について説明する。ＬＴＥにおいて、１つの無線フレーム（１０ｍｓ）は、１ｍｓ長の１０個のサブフレームから構成される。各無線フレームは、０〜１０２３番までのＳＦＮ（System Frame Number）により一意に識別される。１つのハイパーシステムフレームは０〜１０２３番までの１０２４個の無線フレームから構成され、各ハイパーシステムフレームは、０〜１０２３番までのＨ−ＳＦＮ（Hyper-System Frame Number）により一意に識別される。
【００１７】
図２は、ｅＤＲＸ動作を説明するための図である。ｅＤＲＸにおいて、ユーザ装置ＵＥがページング信号をモニタすべきハイパーシステムフレーム（Hyper System Frame）は、ＰＨ（ページングハイパーフレーム：Paging Hyper frame）と呼ばれる。ＰＨは、ｅＤＲＸサイクル（ＴｅＤＲＸ，Ｈ）毎に周期的に存在する。１つのＰＨ内には、更に、ＰＴＷ（Paging Time Window）と呼ばれる期間が規定され、ユーザ装置ＵＥは、ＰＴＷ内に含まれるＰＦ（ページングフレーム：Paging Frame）内のサブフレームのうち、ＰＯ（ページング機会：Paging Occasion）に該当するサブフレームでページングをモニタすることが規定されている。
【００１８】
ＰＨは、「Ｈ−ＳＦＮ  ｍｏｄ  ＴｅＤＲＸ，Ｈ＝（ＵＥ＿ＩＤ  ｍｏｄ  ＴｅＤＲＸ，Ｈ）」を満たすＨ−ＳＦＮであり、「ＵＥ＿ＩＤ＝ＩＭＳＩ  ｍｏｄ  １０２４」である。
【００１９】
ＰＴＷの開始時間（ＰＴＷ＿ｓｔａｒｔ）であるＳＦＮは、「ＳＦＮ＝２５６×ｉｅＤＲＸ」、「ｉｅＤＲＸ＝ｆｌｏｏｒ（ＵＥ＿ＩＤ／ＴｅＤＲＸ，Ｈ）ｍｏｄ  ４」、「ＵＥ＿ＩＤ＝ＩＭＳＩ  ｍｏｄ  １０２４」の式で算出される。
【００２０】
ＰＴＷの終了時間（ＰＴＷ＿ｅｎｄ）であるＳＦＮは、「ＳＦＮ＝（ＰＴＷ＿ｓｔａｒｔ＋Ｌ×１００−１）ｍｏｄ  １０２４」の式で算出される。なお、「Ｌ」はＰＴＷの長さであり、上位レイヤ（ＲＲＣレイヤ）でユーザ装置ＵＥに設定される。
【００２１】
ＰＦは、「ＳＦＮ  ｍｏｄ  Ｔ＝（Ｔ／Ｎ）×（ＵＥ＿ＩＤ  ｍｏｄ  Ｎ）」を満たすＳＦＮである。「Ｔ」は従来のＤＲＸサイクルである。なお、「ＵＥ＿ＩＤ＝ＩＭＳＩ  ｍｏｄ  １０２４」である。また、「Ｎ＝ｍｉｎ｛Ｔ、ｎＢ｝」であり、「ｎＢ」は、「４Ｔ、２Ｔ、Ｔ、Ｔ／２、Ｔ／４、Ｔ／８・・」のいずれかである。
【００２２】
ＰＯは、ＰＤＣＣＨの場合、"９番のサブフレームのみ"、"４番及び９番のサブフレーム"、"０番、４番、５番及び９番のサブフレーム"のいずれかであり、詳細は非特許文献３の７．１章に規定されている。
【００２３】
なお、現在、３ＧＰＰでは、上述のＰＨを求める算出式（又は、ＰＨ及びＰＴＷを求める算出式）にＳ−ＴＭＳＩを用いるようにして、ＰＦ及びＰＯを求める算出式については従来通りＩＭＳＩを用いるようにすることが提案されている。
【００２４】
＜本無線通信システムの動作＞
上述したように、ｅＤＲＸにおいて、ユーザ装置ＵＥがページングをモニタする期間の算出にＳ−ＴＭＳＩ及びＩＭＳＩを用いる場合、以下の問題ある。
【００２５】
「Ｃａｓｅ  １」：アタッチ前など、ＭＭＥ１０がユーザ装置ＵＥにＳ−ＴＭＳＩを払い出していない場合、ＭＭＥ１０及びユーザ装置ＵＥはＳ−ＴＭＳＩを保持していない。
【００２６】
「Ｃａｓｅ  ２」：ＭＭＥの再開等により、ＭＭＥ内に記憶されているＳ−ＴＭＳＩが消失した場合、ｅＤＲＸにおいてユーザ装置がページングをモニタする期間の認識が、ＭＭＥとユーザ装置との間で不一致になる可能性がある。
【００２７】
「Ｃａｓｅ  １」及び「Ｃａｓｅ  ２」の問題を解決するため、本実施の形態に係る無線通信システムは、以下に示す処理手順でページングをモニタする期間の算出を行うようにする。なお、以下の説明において、「ページングをモニタする期間の算出」には、特に断りが無い限り、ＰＨ、ＰＴＷ、ＰＦ、ＰＯの算出が含まれる。
【００２８】
（処理手順その１）
処理手順その１では、「Ｃａｓｅ  １」に対応するために、ユーザ装置ＵＥ及びＭＭＥ１０は、Ｓ−ＴＭＳＩを保持していない場合、ユーザ装置ＵＥがページングをモニタする期間の算出を行う際にＩＭＳＩのみを用いるようにする。
【００２９】
また、処理手順その１では、「Ｃａｓｅ  ２」に対応するために、ＭＭＥ１０で再開等が生じた場合、ＭＭＥ１０は、ｅＤＲＸにおいてページングをモニタする期間の算出に用いるＵＥ識別子をＩＭＳＩにすべきとの指示情報（以下、便宜上「リセット通知」と呼ぶ）を含む報知情報を送信するように基地局ｅＮＢに指示する。また、ユーザ装置ＵＥは、リセット通知を含む報知情報を受信した場合、ＩＭＳＩのみを用いて、ｅＤＲＸにおいてページングをモニタする期間を算出するようにする。
【００３０】
［「Ｃａｓｅ  ２」に対応するための具体的な処理手順について］
図３を用いて、「Ｃａｓｅ２」に対応するための処理手順について具体的に説明する。
【００３１】
ステップＳ１０１で、ＭＭＥ１０は、再開等の異常を検出すると、ステップＳ１０２で、リセット通知の送信を要求するメッセージをＭＭＥ１０自身に接続されている全ての基地局ｅＮＢ（つまり、ＭＭＥ１０が管理している全てのトラッキングエリアに対応する基地局ｅＮＢ）に送信する。なお、リセット通知の送信を要求するメッセージは、現状のＬＴＥで規定されているＳ１ＡＰ（S1 Application Protocol）のＲｅｓｅｔメッセージであってもよいし、Ｓ１ＡＰの新規メッセージであってもよい。
【００３２】
ステップＳ１０３で、基地局ｅＮＢは、システム情報変更通知（systemInfoModification）を含むページングメッセージを、少なくとも、本無線通信システムで設定される可能性のあるｅＤＲＸサイクルの最大期間（例えば、４３．６９分）の間送信する。
【００３３】
なお、Ｓ−ＴＭＳＩが消失したことで、ＭＭＥ１０は基地局ｅＮＢにＳ−ＴＭＳＩを通知することができない。つまり、基地局ｅＮＢはユーザ装置ＵＥがページングをモニタするＰＨ（又は、ＰＨ及びＰＴＷ）を把握することができない。そこで、基地局ｅＮＢは、システム情報変更通知を含むページングメッセージを、ｅＤＲＸサイクルの最大期間の全てのＨ−ＳＦＮにおいて、全てのＰＦ（つまり、ＰＦに該当する可能性のある全てのシステムフレーム）のＰＯ（Paging Occasion）で送信するようにしてもよい。これにより、基地局ｅＮＢ配下に存在している全ユーザ装置ＵＥに対してシステム情報変更通知を受信させることができ、報知情報が更新されることを全ユーザ装置ＵＥに認識させることができる。
【００３４】
ステップＳ１０４で、基地局ｅＮＢは、ＢＣＣＨ（Broadcast Control Channel）変更期間の境界（modification period boundary）を経過した後、リセット通知を含む報知情報を送信する。なお、基地局ｅＮＢは、リセット通知を含む報知情報を、少なくとも、本無線通信システムで設定される可能性のあるｅＤＲＸサイクルの最大期間（例えば、４３．６９分）の間送信する。これは、基地局ｅＮＢ配下に存在している全ユーザ装置ＵＥに対して、リセット通知を含む報知情報を受信させるためである。リセット通知を含む報知情報を受信したユーザ装置ＵＥは、ＩＭＳＩのみを用いてｅＤＲＸにおいてページングをモニタする期間を算出することで、自身が認識している当該期間を更新する。
【００３５】
ここで、ＢＣＣＨ変更期間の境界とは、報知情報の変更期間（modification period）の境目を意味している。３ＧＰＰの規定では、基地局ｅＮＢは、報知情報の変更期間内では同一内容の報知情報を送信する必要がある。つまり、基地局ｅＮＢは、報知情報を任意のタイミングで変更することはできず、ＢＣＣＨ変更期間の境界のタイミングで変更する必要がある。
【００３６】
なお、ユーザ装置ＵＥは、リセット通知を含む報知情報が送信されている間であっても、ＴＡＵ（Tracking Area Update）などのタイミングで新たなＳ−ＴＭＳＩの割当てを受ける可能性がある。この場合、ユーザ装置ＵＥ及びＭＭＥ１０は、リセット通知を含む報知情報が送信されている間であっても、新たなＳ−ＴＭＳＩを用いてｅＤＲＸにおいてページングをモニタする期間を算出するようにしてもよい。
【００３７】
ステップＳ１０５で、基地局ｅＮＢは、リセット通知を含む報知情報を少なくともｅＤＲＸサイクルの最大期間（４３．６９分）の間送信し続けた後、基地局ｅＮＢ配下に存在している全ユーザ装置ＵＥが、リセット通知を含む報知情報を受信したとみなして、リセット通知完了報告をＭＭＥ１０に送信する。
【００３８】
（処理手順その２）
処理手順その２では、「Ｃａｓｅ  １」及び「Ｃａｓｅ  ２」に対応するために、ページングをモニタする期間の算出にＳ−ＴＭＳＩを用いるのではなく、ＩＭＳＩを用いるようにする。ただし、ページングに用いられる無線フレームを分散させることを可能にするため、上述のＰＨを求める算出式（又は、ＰＨ及びＰＴＷの開始時間を求める算出式）にＩＭＳＩの上位ビットの一部を用いるようにして、ＰＦ及びＰＯを求める算出式については従来通りＩＭＳＩをそのまま用いるようにする。
【００３９】
図４は、ＩＭＳＩを用いたページングモニタ期間の算出方法を説明するための図である。図４に示すように、ＩＭＳＩは最大で１５桁であり、３桁のＭＣＣ（Mobile Country Code）、２〜３桁のＭＮＣ（Mobile Network Code）、及び９又は１０桁以下のＭＳＩＮ（Mobile Station Identification Number）から構成される。
【００４０】
ここで、「＜ｅＤＲＸの動作＞」で説明したＰＨ及びＰＴＷの開始時間の算出を行う際に用いられるＵＥ＿ＩＤは、「ＵＥ＿ＩＤ＝ＩＭＳＩ  ｍｏｄ  １０２４」の式で求められる。この式をビットに直すと、「ＵＥ＿ＩＤ＝ＩＭＳＩ  ｍｏｄ  １１１１１１１１１１」になることから、ＵＥ＿ＩＤは、ＩＭＳＩのうち実質的に下位の１０ビット（ＬＳＢ０〜９ビット）のみで算出されていることがわかる。ＭＣＣ及びＭＮＣは同一オペレータ契約のユーザ装置ＵＥでは固定値になるため、ＩＭＳＩのうち、ユーザ装置ＵＥ間でランダム性があるのはＭＳＩＮである。ＭＳＩＮの桁数は可変であるが、ＩＭＳＩの１桁が約３．３ビットであるとすると、ＭＳＩＮの桁数が１０桁である場合、ＭＳＩＮはＩＭＳＩの下位３３ビットに該当する。
【００４１】
そこで、処理手順その２では、ＭＭＥ１０、基地局ｅＮＢ及びユーザ装置ＵＥは、ＰＨ（又は、ＰＨ及びＰＴＷの開始時間）の算出を行う際のＵＥ＿ＩＤを算出する式（「ＵＥ＿ＩＤ＝ＩＭＳＩ  ｍｏｄ  １０２４」）において、ＩＭＳＩのＬＳＢ０〜９ビット以外の１０ビットを用いてＵＥ＿ＩＤを算出するようにする。
【００４２】
例えば、ＵＥ＿ＩＤは、「ＵＥ＿ＩＤ＝ＩＭＳＩのＬＳＢ１０〜１９  ｍｏｄ  １０２４」の式を用いて算出されるようにしてもよいし、「ＵＥ＿ＩＤ＝ＩＭＳＩのＬＳＢ２０〜２９  ｍｏｄ  １０２４」の式を用いて算出されるようにしてもよい。これらはあくまで一例であり、ＵＥ＿ＩＤは、ＩＭＳＩのＭＣＣ及びＭＮＣ以外のビット、かつ、ＬＳＢ０〜９ビット以外のビットであれば、どの範囲の１０ビットを用いて算出されてもよい。
【００４３】
なお、ＭＭＥ１０は、ＰＨ（又は、ＰＨ及びＰＴＷの開始時間）の算出を行う際のＵＥ＿ＩＤを算出し、算出したＵＥ＿ＩＤを、Ｓ１ＡＰのページングメッセージで基地局ｅＮＢに通知するようにしてもよい。また、ＭＭＥ１０は、ＰＨ（又は、ＰＨ及びＰＴＷの開始時間）の算出を行う際に用いられるＵＥ＿ＩＤを算出するためのＩＭＳＩのビット（つまり、上述したＬＳＢ１０〜１９、ＬＳＢ２０〜２９など）をＳ１ＡＰのページングメッセージで基地局ｅＮＢに通知し、ＵＥ＿ＩＤの算出は基地局ｅＮＢ側で行われるようにしてもよい。基地局ｅＮＢでＰＨ（又は、ＰＨ及びＰＴＷの開始時間）の算出を行う際の負荷を軽減することができる。
【００４４】
（処理手順その３）
処理手順その３では、処理手順その２と同様に、「Ｃａｓｅ  １」及び「Ｃａｓｅ  ２」に対応するために、ページングをモニタする期間の算出にＩＭＳＩを用いるようにする。ただし、ページングに用いられる無線フレームを分散させることを可能にするため、上述のＰＨを求める算出式（又は、ＰＨ及びＰＴＷの開始時間を求める算出式）に、ＩＭＳＩを含むビットをハッシュ関数に入力することで得られるビット（ハッシュ値）を用いるようにして、ＰＦ及びＰＯを求める算出式については従来通りＩＭＳＩをそのまま用いるようにする。
【００４５】
ＭＭＥ１０、基地局ｅＮＢ及びユーザ装置ＵＥは、ＰＨ（又は、ＰＨ及びＰＴＷの開始時間）の算出を行う際、例えば、「ＵＥ＿ＩＤ＝ＨＡＳＨ関数（Ｈａｓｈ＿ｆｉｘｅｄ＿ｂｉｔ＋ＩＭＳＩ）  ｍｏｄ  １０２４」の式を用いてＵＥ＿ＩＤを算出するようにしてもよい。
【００４６】
また、ＩＭＳＩの下位１０ビット（ＬＳＢ０〜９ビット）以外のビットをＨＡＳＨ関数に入力するようにしてもよい。例えば、「ＵＥ＿ＩＤ＝ＨＡＳＨ関数（ｆｌｏｏｒ（ＩＭＳＩ／１６３８４）  ｍｏｄ  １０２４）」の式を用いてＵＥ＿ＩＤを算出するようにしてもよいし、「ＵＥ＿ＩＤ＝ＨＡＳＨ関数（ｆｌｏｏｒ（ＩＭＳＩ／１６３８４）  ｍｏｄ  １０２４  ＋  Ｈａｓｈ＿ｆｉｘｅｄ＿ｂｉｔ）」の式を用いてＵＥ＿ＩＤを算出するようにしてもよい。これらの式では、ＩＭＳＩのＬＳＢ１４ビット目からＬＳＢ２３ビット目までの１０ビットを使用している。
【００４７】
ここで、"ＨＡＳＨ関数"は、例えば、ＳＨＡ１でもよいし、ＳＨＡ２５６でもよいし、ＳＨＡ５１２でもよいし、ＭＤ５でもよい。これらに限定されず、どのようなハッシュ関数であってもよい。また、"Ｈａｓｈ＿ｆｉｘｅｄ＿ｂｉｔ"は、ＭＭＥ１０、基地局ｅＮＢ及びユーザ装置ＵＥの間で共有される、任意の長さのビット列である。"Ｈａｓｈ＿ｆｉｘｅｄ＿ｂｉｔ"は、例えば、Ｓ１ＡＰのメッセージでＭＭＥ１０から基地局ｅＮＢに通知され、更に、報知情報（ＳＩＢ）を用いて基地局ｅＮＢからユーザ装置ＵＥに設定されてもよい。また、予め標準仕様等で定められていてもよい。また、契約情報としてコアネットワーク（ＨＳＳ：Home Subscriber Server、ＭＭＥ１０等）で保持され、任意のタイミングでＭＭＥ１０から基地局ｅＮＢ及びユーザ装置ＵＥに通知されてもよい。
【００４８】
また、他の例として、ＭＭＥ１０、基地局ｅＮＢ及びユーザ装置ＵＥは、ＰＨ（又は、ＰＨ及びＰＴＷの開始時間）の算出を行う際、例えば、「ＵＥ＿ＩＤ＝ＨＡＳＨ関数（ＩＭＳＩ）  ｍｏｄ  １０２４」の式を用いてＵＥ＿ＩＤを算出するようにしてもよい。 "ＨＡＳＨ関数"は、例えば、ＳＨＡ１でもよいし、ＳＨＡ２５６でもよいし、ＳＨＡ５１２でもよいし、ＭＤ５でもよい。これらに限定されず、どのようなハッシュ関数であってもよい。
【００４９】
なお、ＭＭＥ１０は、ＰＨ（又は、ＰＨ及びＰＴＷの開始時間）の算出を行う際のＵＥ＿ＩＤを算出し、算出したＵＥ＿ＩＤを、Ｓ１ＡＰのページングメッセージで基地局ｅＮＢに通知するようにしてもよい。また、ＭＭＥ１０は、ＰＨ（又は、ＰＨ及びＰＴＷの開始時間）の算出を行う際に用いられるＵＥ＿ＩＤを算出するためのビット（つまり、ＨＡＳＨ関数（Ｈａｓｈ＿ｆｉｘｅｄ＿ｂｉｔ＋ＩＭＳＩ）のハッシュ値、又は、ＨＡＳＨ関数（ＩＭＳＩ）のハッシュ値）をＳ１ＡＰのページングメッセージで基地局ｅＮＢに通知し、ＵＥ＿ＩＤの算出は基地局ｅＮＢ側で行われるようにしてもよい。基地局ｅＮＢでＰＨ（又は、ＰＨ及びＰＴＷの開始時間）の算出を行う際の負荷を軽減することができる。
【００５０】
また、異なるＵＥの能力によって、ＰＨ（又は、ＰＨ及びＰＴＷの開始時間）の算出に使用するＵＥ＿ＩＤのビット数を１０ビット以外にしてもよい。例えば、ＮＢ−ＩｏＴ  ＵＥの場合、最大ｅＤＲＸ  ｃｙｃｌｅは１０２４ハイパーシステムフレームであるため、ＰＨ（又は、ＰＨ及びＰＴＷの開始時間）を分散するために、ＵＥ＿ＩＤのビット数を１２ビットにしてもよい。この場合、ＵＥ＿ＩＤの計算は、例えば、「ＵＥ＿ＩＤ＝ＨＡＳＨ関数（ＩＭＳＩ）  ｍｏｄ  ４０９６」としてもよい。また、上述の各計算式において、"ｍｏｄ  １０２４"の部分を"ｍｏｄ  ４０９６"に置き換えてもよい。
【００５１】
＜機能構成＞
（ＭＭＥ）
図５は、実施の形態に係るＭＭＥの機能構成例を示す図である。図５に示すように、ＭＭＥ１０は、信号送信部１０１、信号受信部１０２、検出部１０３、通知部１０４、取得部１０５及び算出部１０６を備える。なお、図１０は、ＭＭＥ１０において本発明に特に関連する機能部のみを示すものであり、少なくともＬＴＥ（５Ｇを含む）に準拠した動作を行うための図示しない機能も有するものである。ただし、処理手順その１乃至処理手順その３のうちいずれか１つ又は２つを実行可能にしてもよいし、全てを実行可能にしてもよい。
【００５２】
信号送信部１０１は、基地局ｅＮＢに対して、各種の信号を送信する機能を有する。信号受信部１０２は、基地局ｅＮＢから送信される各種の信号を受信する機能を有する。
【００５３】
検出部１０３は、ＭＭＥ１０自身の異常（再開等）を検出する機能を有する。また、検出部１０３は、ＭＭＥ１０自身の異常を検出した場合、Ｓ−ＴＭＳＩを記憶しているメモリ領域をリセットするようにしてもよい。
【００５４】
通知部１０４は、検出部１０３で異常が検出された場合、リセット通知の送信を要求するメッセージを、ＭＭＥ１０自身に接続されている全ての基地局ｅＮＢに送信する機能を有する。
【００５５】
取得部１０５は、ＩＭＳＩを取得する機能を有する。算出部１０６は、ｅＤＲＸにおけるページングモニタ期間を算出する機能を有する。また、算出部１０６は、ページングモニタ期間を算出する際に、ＩＭＳＩの下位０〜９ビット以外のビットを用いてページングモニタ期間を算出するようにしてもよい。また、算出部１０６は、ページングモニタ期間の算出においてＰＨの期間を算出する際に、ＩＭＳＩの下位０〜９ビット以外のビットを用いてＰＨの期間を算出するようにしてもよい。また、算出部１０６は、ページングモニタ期間の算出においてＰＨ及びＰＴＷの開始時間を算出する際に、ＩＭＳＩの下位０〜９ビット以外のビットを用いてＰＨ及びＰＴＷの開始時間を算出するようにしてもよい。また、算出部１０６は、ページングモニタ期間を算出する際に、ＩＭＳＩを含むビットをハッシュ関数に代入することで得られるビットを用いてページングモニタ期間を算出するようにしてもよい。ＩＭＳＩを含むビットは、ＩＭＳＩそのものでもよいし、任意の長さのビットとＩＭＳＩとを合算したビットでもよい。
【００５６】
（基地局）
図６は、実施の形態に係る基地局の機能構成例を示す図である。図６に示すように、基地局ｅＮＢは、信号送信部２０１、信号受信部２０２、受付部２０３、報知送信部２０４、取得部２０５及び算出部２０６を備える。なお、図６は、基地局ｅＮＢにおいて本発明に特に関連する機能部のみを示すものであり、少なくともＬＴＥ（５Ｇを含む）に準拠した動作を行うための図示しない機能も有するものである。ただし、処理手順その１乃至処理手順その３のうちいずれか１つ又は２つを実行可能にしてもよいし、全てを実行可能にしてもよい。
【００５７】
信号送信部２０１は、ＭＭＥ１０又はユーザ装置ＵＥに対して、各種の信号を送信する機能を有する。信号受信部２０２は、ＭＭＥ１０又はユーザ装置ＵＥから送信される各種の信号を受信する機能を有する。
【００５８】
受付部２０３は、ＭＭＥ１０から、リセット通知の送信を要求するメッセージを受け付ける機能を有する。
【００５９】
報知送信部２０４は、リセット通知を含む報知情報を送信する機能を有する。また、報知送信部２０４は、報知情報を変更する際、システム情報変更通知を送信する機能を有する。また、報知送信部２０４は、受付部２０３でリセット通知の送信を要求するメッセージを受け付けた場合に、システム情報変更通知を含むページングをｅＤＲＸサイクルの最大期間の間送信した後で、リセット通知を含む報知情報を送信するようにしてもよい。
【００６０】
また、報知送信部２０４は、リセット通知を含む報知情報を、ｅＤＲＸサイクルの最大期間の間送信するようにしてもよい。
【００６１】
取得部２０５は、ＩＭＳＩを取得する機能を有する。算出部２０６は、ｅＤＲＸにおけるページングモニタ期間を算出する機能を有する。また、算出部２０６は、ページングモニタ期間を算出する際に、ＩＭＳＩの下位０〜９ビット以外のビットを用いてページングモニタ期間を算出するようにしてもよい。また、算出部２０６は、ページングモニタ期間の算出においてＰＨの期間を算出する際に、ＩＭＳＩの下位０〜９ビット以外のビットを用いてＰＨの期間を算出するようにしてもよい。また、算出部２０６は、ページングモニタ期間の算出においてＰＨ及びＰＴＷの開始時間を算出する際に、ＩＭＳＩの下位０〜９ビット以外のビットを用いてＰＨ及びＰＴＷの開始時間を算出するようにしてもよい。また、算出部２０６は、ページングモニタ期間を算出する際に、ＩＭＳＩを含むビットをハッシュ関数に代入することで得られるビットを用いてページングモニタ期間を算出するようにしてもよい。ＩＭＳＩを含むビットは、ＩＭＳＩそのものでもよいし、任意の長さのビットとＩＭＳＩとを合算したビットでもよい。
【００６２】
（ユーザ装置）
図７は、実施の形態に係るユーザ装置の機能構成例を示す図である。図７に示すように、ユーザ装置ＵＥは、信号送信部３０１、信号受信部３０２、算出部３０３、報知受信部３０４、及び取得部３０５を備える。なお、図７は、ユーザ装置ＵＥにおいて本発明に特に関連する機能部のみを示すものであり、少なくともＬＴＥ（５Ｇを含む）に準拠した動作を行うための図示しない機能も有するものである。ただし、処理手順その１乃至処理手順その３のうちいずれか１つ又は２つを実行可能にしてもよいし、全てを実行可能にしてもよい。
【００６３】
信号送信部３０１は、基地局ｅＮＢに対して、各種の信号を送信する機能を有する。信号受信部３０２は、基地局ｅＮＢから送信される各種の信号を受信する機能を有する。
【００６４】
算出部３０３は、ｅＤＲＸにおけるページングモニタ期間を算出する機能を有する。また、算出部３０３は、Ｓ−ＴＭＳＩ及びＩＭＳＩを用いてｅＤＲＸにおけるページングモニタ期間を算出する機能を有する。また、算出部３０３は、Ｓ−ＴＭＳＩをＭＭＥ１０から受信していない場合、又は、リセット通知を含む報知情報を報知受信部３０４で受信した場合に、ＩＭＳＩのみを用いてｅＤＲＸにおけるページングモニタ期間を算出するようにしてもよい。
【００６５】
また、算出部３０３は、ページングモニタ期間を算出する際に、ＩＭＳＩの下位０〜９ビット以外のビットを用いてページングモニタ期間を算出するようにしてもよい。また、算出部３０３は、ページングモニタ期間の算出においてＰＨ及びＰＴＷの開始時間を算出する際に、ＩＭＳＩの下位０〜９ビット以外のビットを用いてＰＨ及びＰＴＷの開始時間を算出するようにしてもよい。また、算出部３０３は、ページングモニタ期間を算出する際に、ＩＭＳＩを含むビットをハッシュ関数に代入することで得られるビットを用いてページングモニタ期間を算出するようにしてもよい。ＩＭＳＩを含むビットは、ＩＭＳＩそのものでもよいし、任意の長さのビットとＩＭＳＩとを合算したビットでもよい。
【００６６】
報知受信部３０４は、算出部３０３で算出されたｅＤＲＸにおけるページングモニタ期間でページングをモニタする機能を有する。
【００６７】
取得部３０５は、ＩＭＳＩを取得する機能を有する。
【００６８】
＜ハードウェア構成＞
上記実施の形態の説明に用いたブロック図（図５乃至図７）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００６９】
例えば、本発明の実施の形態におけるＭＭＥ１０、基地局ｅＮＢ及びユーザ装置ＵＥは、本発明の通信方法の処理を行うコンピュータとして機能してもよい。図８は、実施の形態に係るＭＭＥ１０、基地局ｅＮＢ及びユーザ装置ＵＥのハードウェア構成の一例を示す図である。上述のＭＭＥ１０、基地局ｅＮＢ及びユーザ装置ＵＥは、物理的には、プロセッサ１００１、メモリ１００２、ストレージ１００３、通信ＩＦ装置１００４、入力装置１００５、出力装置１００６、バス１００７などを含むコンピュータ装置として構成されてもよい。
【００７０】
なお、以下の説明では、「装置」という文言は、回路、デバイス、ユニットなどに読み替えることができる。ＭＭＥ１０、基地局ｅＮＢ及びユーザ装置ＵＥのハードウェア構成は、図に示した各装置を１つ又は複数含むように構成されてもよいし、一部の装置を含まずに構成されてもよい。
【００７１】
ＭＭＥ１０、基地局ｅＮＢ及びユーザ装置ＵＥにおける各機能は、プロセッサ１００１、メモリ１００２などのハードウェア上に所定のソフトウェア（プログラム）を読み込ませることで、プロセッサ１００１が演算を行い、通信ＩＦ装置１００４による通信、メモリ１００２及びストレージ１００３におけるデータの読み出し及び／又は書き込みを制御することで実現される。
【００７２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、ＭＭＥ１０の信号送信部１０１、信号受信部１０２、検出部１０３、通知部１０４、取得部１０５及び算出部１０６、基地局ｅＮＢの信号送信部２０１、信号受信部２０２、受付部２０３、報知送信部２０４、取得部２０５及び算出部２０６、ユーザ装置ＵＥの信号送信部３０１、信号受信部３０２、算出部３０３、報知受信部３０４、及び取得部３０５は、プロセッサ１００１で実現されてもよい。
【００７３】
また、プロセッサ１００１は、プログラム（プログラムコード）、ソフトウェアモジュール又はデータを、ストレージ１００３及び／又は通信ＩＦ装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ＭＭＥ１０の信号送信部１０１、信号受信部１０２、検出部１０３、通知部１０４、取得部１０５及び算出部１０６、基地局ｅＮＢの信号送信部２０１、信号受信部２０２、受付部２０３、報知送信部２０４、取得部２０５及び算出部２０６、ユーザ装置ＵＥの信号送信部３０１、信号受信部３０２、算出部３０３、報知受信部３０４、及び取得部３０５は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７４】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る通信方法を実施するために実行可能なプログラム（プログラムコード）、ソフトウェアモジュールなどを保存することができる。
【００７５】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７６】
通信ＩＦ装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ＭＭＥ１０の信号送信部１０１及び信号受信部１０２、基地局ｅＮＢの信号送信部２０１及び信号受信部２０２、ユーザ装置ＵＥの信号送信部３０１及び信号受信部３０２は、通信ＩＦ装置１００４で実現されてもよい。
【００７７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００７８】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００７９】
また、ＭＭＥ１０、基地局ｅＮＢ及びユーザ装置ＵＥは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００８０】
＜まとめ＞
以上、実施の形態によれば、交換機と基地局とユーザ装置とを有し、拡張間欠受信におけるページングモニタ期間の算出に用いるＵＥ識別子として第一のＵＥ識別子及び第二のＵＥ識別子を用いる無線通信システムにおける基地局であって、前記交換機から、特定の信号を受け付ける受付部と、前記特定の信号を受けた場合に、拡張間欠受信におけるページングモニタ期間の算出に用いるＵＥ識別子を第二のＵＥ識別子にすべきとの指示情報を含む報知情報を送信する送信部と、を有する基地局が提供される。この基地局ｅＮＢによれば、ｅＤＲＸにおいて、ページングに用いられる無線フレームの算出を適切に行うことを可能にする技術が提供される。
【００８１】
また、前記送信部は、前記特定の信号を受けた場合に、システム情報変更通知を含むページングを拡張間欠受信サイクルの最大期間の間送信した後で前記報知情報を送信するようにしてもよい。これにより、基地局ｅＮＢ配下に存在している全ユーザ装置ＵＥに対してシステム情報変更通知を受信させることができ、報知情報が更新されることを全ユーザ装置ＵＥに認識させることができる。
【００８２】
前記送信部は、前記報知情報を拡張間欠受信サイクルの最大期間の間送信するようにしてもよい。これにより、基地局ｅＮＢ配下に存在している全ユーザ装置ＵＥに対して、リセット通知を含む報知情報を受信させることができる。
【００８３】
また、実施の形態によれば、交換機と基地局とユーザ装置とを有し、拡張間欠受信におけるページングモニタ期間の算出に用いるＵＥ識別子として第一のＵＥ識別子及び第二のＵＥ識別子を用いる無線通信システムにおけるユーザ装置であって、第一のＵＥ識別子及び第二のＵＥ識別子を用いて拡張間欠受信におけるページングモニタ期間を算出する算出部と、算出された拡張間欠受信におけるページングモニタ期間でページングをモニタする受信部と、を有し、前記算出部は、第一のＵＥ識別子を前記交換機から受信していない場合、又は、拡張間欠受信におけるページングモニタ期間の算出に用いるＵＥ識別子を第二のＵＥ識別子にすべきとの指示情報を含む報知情報を受信した場合に、第二のＵＥ識別子を用いて拡張間欠受信におけるページングモニタ期間を算出する、ユーザ装置が提供される。このユーザ装置ＵＥによれば、ｅＤＲＸにおいて、ページングに用いられる無線フレームの算出を適切に行うことを可能にする技術が提供される。
【００８４】
また、実施の形態によれば、交換機と基地局とユーザ装置とを有し、拡張間欠受信におけるページングモニタ期間の算出に用いるＵＥ識別子として第一のＵＥ識別子及び第二のＵＥ識別子を用いる無線通信システムにおける基地局が実行する通信方法であって、前記交換機から、特定の信号を受け付けるステップと、前記特定の信号を受けた場合に、拡張間欠受信におけるページングモニタ期間の算出に用いるＵＥ識別子を第二のＵＥ識別子にすべきとの指示情報を含む報知情報を送信するステップと、を有する通信方法が提供される。この通信方法によれば、ｅＤＲＸにおいて、ページングに用いられる無線フレームの算出を適切に行うことを可能にする技術が提供される。
【００８５】
また、実施の形態によれば、拡張間欠受信をサポートする無線通信システムにおける通信装置であって、ＵＥ識別子を取得する取得部と、拡張間欠受信におけるページングモニタ期間を算出する算出部と、を有し、前記算出部は、ページングモニタ期間を算出する際に、ＩＭＳＩを含むビットをハッシュ関数に代入することで得られるビットを用いて、又は、ＩＭＳＩの下位０〜９ビット以外のビットを用いてページングモニタ期間を算出する、通信装置が提供される。この通信装置によれば、ｅＤＲＸにおいて、ページングに用いられる無線フレームの算出を適切に行うことを可能にする技術が提供される。
【００８６】
＜実施形態の補足＞
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００８７】
本明細書で説明した処理手順、シーケンスなどは、矛盾の無い限り、順序を入れ替えてもよい。例えば、本明細書で説明した方法については、例示的な順序で様々なステップの要素を提示しており、提示した特定の順序に限定されない。
【００８８】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００８９】
本明細書で説明した各処理手順は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００９０】
ユーザ装置ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００９１】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００９２】
実施の形態において、リセット通知の送信を要求するメッセージは、特定の信号の一例である。ＭＭＥ１０は交換機の一例である。ＭＭＥ１０、基地局ｅＮＢ又はユーザ装置ＵＥは通信装置の一例である。Ｓ−ＴＭＳＩは、第一のＵＥ識別子の一例である。ＩＭＳＩは、第二のＵＥ識別子の一例である。
【符号の説明】
【００９３】
１０  ＭＭＥ
ＵＥ  ユーザ装置
ｅＮＢ  基地局
１０１  信号送信部
１０２  信号受信部
１０３  検出部
１０４  通知部
１０５  取得部
１０６  算出部
２０１  信号送信部
２０２  信号受信部
２０３  受付部
２０４  報知送信部
２０５  取得部
２０６  算出部
３０１  信号送信部
３０２  信号受信部
３０３  算出部
３０４  報知受信部
３０５  取得部
１００１  プロセッサ
１００２  メモリ
１００３  ストレージ
１００４  通信ＩＦ装置
１００５  入力装置
１００６  出力装置
【図１】
2017220919.tif 000003
【図２】
2017220919.tif 000004
【図３】
2017220919.tif 000005
【図４】
2017220919.tif 000006
【図５】
2017220919.tif 000007
【図６】
2017220919.tif 000008
【図７】
2017220919.tif 000009
【図８】
2017220919.tif 000010